(57)【特許請求の範囲】
【請求項１】
縮径した縮径部を先端部に有する注射器本体と、前記縮径部に螺合し、針体および該針体を保持するハブを有する注射針とを備える注射器の前記注射器本体から前記注射針を取り外し、該注射針を廃棄する際に用いられる廃棄容器であって、
前記注射器本体から取り外された前記注射針を収納する容器と、
前記容器に設置され、前記注射器本体から前記注射針を取り外す際、前記注射器が着脱自在に装着される装着部とを有し、
前記装着部は、前記注射器が前記装着部に装着された状態で、前記注射器の軸方向の位置を規制する位置規制手段と、
前記注射器が前記装着部に装着された状態で、前記注射針の回転を阻止する回転阻止手段と、
前記注射器本体から前記注射針を取り外す際、前記ハブの基端に係合可能な第１の突部と、該第１の突部よりも先端側に位置し、前記ハブの基端の外周部に係合可能な第２の突部とを有し、
前記注射器本体から前記注射針を取り外す際、前記第１の突部と前記第２の突部とのいずれか一方が前記ハブの基端に係合するよう構成されていることを特徴とする廃棄容器。
【請求項２】
前記注射針と前記縮径部とが螺合した状態における前記ハブの基端と前記注射器本体の先端部との間の隙間に対して、前記第２の突部は、前記注射器が前記装着部に装着された状態で、前記隙間に挿入可能である請求項１に記載の廃棄容器。
【請求項３】
前記第１の突部は、前記注射器が前記装着部に装着された状態で、前記注射器本体の外周側であって、前記ハブの基端よりも基端側に位置し、
前記注射器本体から前記注射針を取り外す際、前記第２の突部が前記ハブの基端に係合しない場合、前記注射器が前記装着部に装着された状態から、前記注射器本体が前記装着部に対して基端方向に移動することにより、前記第１の突部が前記ハブの基端に係合するよう構成されている請求項１または２に記載の廃棄容器。
【請求項４】
前記装着部は、前記注射器本体から前記注射針を取り外す際前記ハブが挿入され、前記容器に連通する孔部を有し、
前記位置規制手段は、前記ハブが前記孔部に挿入された状態で、前記注射器本体の先端部が当接する当接部である請求項１ないし３のいずれかに記載の廃棄容器。
【請求項５】
前記ハブの外周面には、凹部が形成されており、
前記装着部は、前記注射器本体から前記注射針を取り外す際前記ハブが挿入され、前記容器に連通する孔部を有し、
前記回転阻止手段は、前記孔部の内周面に形成され、前記ハブが前記孔部に挿入された状態で前記凹部と係合する凸部である請求項１ないし４のいずれかに記載の廃棄容器。
【発明の詳細な説明】
【技術分野】
【０００１】
本発明は、廃棄容器に関するものである。
【背景技術】
【０００２】
簡易な操作で、糖尿病患者が自身でインスリンを投与することができるペン型注射器が開発され、多くの患者に使用されている（図２、図３参照）。図２および図３に示すように、ペン型注射器は、注射器本体と、注射器本体に着脱自在に装着される注射針とを有している。注射針は、両頭針である針体とその針体を保持するハブとを有している。ハブ１３の内周面には雌ネジが形成されており、注射針１４は、その雌ネジが注射器本体の先端部の外周面に形成されている雄ネジと螺合することで注射器本体に装着される。なお、この際、注射針の針体が注射器本体内に設けられたゴム栓を刺通する。また、注射針は、ペン型注射器でインスリンを投与するたびに新しいものに交換される。
【０００３】
注射針の交換については、一般に、直接手で取り外す際に誤って注射針で手指を刺すなど、医療従事者の負傷および感染などの安全性の問題があることが認識されている。また、ペン型注射器は、患者自身が使用することが多く、特に、糖尿病患者では、そのペン型注射器を用いて、１日に数回インスリンを投与することがあり、使用頻度は高い。糖尿病患者の多くは高齢者であり、また、糖尿病の合併症により手指が不自由であったり、視力低下の障害があり、注射針の取り外し操作が困難である場合が多い。
【０００４】
このため、使用済みの注射針を安全かつ簡単に取り外して廃棄することができる注射針用の廃棄容器が望まれており、このような廃棄容器がすでにいくつか提案されている。
【０００５】
特許文献１に記載されている注射針用の廃棄容器は、ペン型注射器の注射器本体から注射針を取り外す際、注射針のハブの外周面に形成されている複数の溝と係合する複数の突起を有しており、それらが係合することにより、注射針の回転が阻止され、注射器本体を回転させると、注射器本体の先端部の雄ネジとハブの雌ネジとの螺合が解除されるようになっている。
【０００６】
しかしながら、注射器本体とハブとの螺合が解除された状態では、まだ、注射針の針体が注射器本体内に設けられたゴム栓を刺通した状態にあるので、前記特許文献１に記載されている廃棄容器では、その注射器本体とハブとの螺合が解除された後、注射器本体から注射針を離脱させるために、注射器本体を廃棄容器に対して基端方向に移動させても、注射器本体から注射針を離脱させることができない。
【先行技術文献】
【特許文献】
【０００７】
【特許文献１】特開２００５−１０２９３２号公報
【発明の概要】
【発明が解決しようとする課題】
【０００８】
本発明の目的は、注射器本体に螺合している注射針をその注射器本体から容易かつ確実に取り外し、廃棄することができる廃棄容器を提供することにある。
【課題を解決するための手段】
【０００９】
このような目的は、下記（１）〜（５）の本発明により達成される。
【００１６】
（１）  縮径した縮径部を先端部に有する注射器本体と、前記縮径部に螺合し、針体および該針体を保持するハブを有する注射針とを備える注射器の前記注射器本体から前記注射針を取り外し、該注射針を廃棄する際に用いられる廃棄容器であって、
前記注射器本体から取り外された前記注射針を収納する容器と、
前記容器に設置され、前記注射器本体から前記注射針を取り外す際、前記注射器が着脱自在に装着される装着部とを有し、
前記装着部は、前記注射器が前記装着部に装着された状態で、前記注射器の軸方向の位置を規制する位置規制手段と、
前記注射器が前記装着部に装着された状態で、前記注射針の回転を阻止する回転阻止手段と、
前記注射器本体から前記注射針を取り外す際、前記ハブの基端に係合可能な第１の突部と、該第１の突部よりも先端側に位置し、前記ハブの基端の外周部に係合可能な第２の突部とを有し、
前記注射器本体から前記注射針を取り外す際、前記第１の突部と前記第２の突部とのいずれか一方が前記ハブの基端に係合するよう構成されていることを特徴とする廃棄容器。
【００１７】
（２）  前記注射針と前記縮径部とが螺合した状態における前記ハブの基端と前記注射器本体の先端部との間の隙間に対して、前記第２の突部は、前記注射器が前記装着部に装着された状態で、前記隙間に挿入可能である上記（１）に記載の廃棄容器。
【００１８】
（３）  前記第１の突部は、前記注射器が前記装着部に装着された状態で、前記注射器本体の外周側であって、前記ハブの基端よりも基端側に位置し、
前記注射器本体から前記注射針を取り外す際、前記第２の突部が前記ハブの基端に係合しない場合、前記注射器が前記装着部に装着された状態から、前記注射器本体が前記装着部に対して基端方向に移動することにより、前記第１の突部が前記ハブの基端に係合するよう構成されている上記（１）または（２）に記載の廃棄容器。
【００１９】
（４）  前記装着部は、前記注射器本体から前記注射針を取り外す際前記ハブが挿入され、前記容器に連通する孔部を有し、
前記位置規制手段は、前記ハブが前記孔部に挿入された状態で、前記注射器本体の先端部が当接する当接部である上記（１）ないし（３）のいずれかに記載の廃棄容器。
【００２０】
（５）  前記ハブの外周面には、凹部が形成されており、
前記装着部は、前記注射器本体から前記注射針を取り外す際前記ハブが挿入され、前記容器に連通する孔部を有し、
前記回転阻止手段は、前記孔部の内周面に形成され、前記ハブが前記孔部に挿入された状態で前記凹部と係合する凸部である上記（１）ないし（４）のいずれかに記載の廃棄容器。
【発明の効果】
【００２１】
本発明によれば、装着部は、位置規制手段と、回転阻止手段と、注射器本体から注射針を取り外す際、ハブの基端の外周部に係合可能な突部とを有しているので、注射針に直接手を触れずに、その注射針を注射器本体から容易かつ確実に取り外し、廃棄することができる。
【図面の簡単な説明】
【００２２】
【図１】本発明の廃棄容器の第１実施形態を示す断面図である。
【図２】ペン型注射器の構成例を示す側面図である。
【図３】図２に示すペン型注射器の注射器本体の先端部の側面図および注射針の断面図である。
【図４】図１に示す廃棄容器の装着部を示す平面図である。
【図５】図１に示す廃棄容器の装着部の突出片の図４中のＡ−Ａ線での断面図である。
【図６】図１に示す廃棄容器の作用を説明するため断面図である。
【図７】本発明の廃棄容器の第２実施形態における装着部を示す断面図である。
【図８】図７に示す廃棄容器の装着部にペン型注射器を装着した状態を示す断面図である。
【図９】図７に示す廃棄容器の装着部を示す平面図である。
【図１０】本発明の廃棄容器の第３実施形態における装着部を示す斜視図である。
【図１１】本発明の廃棄容器の第４実施形態における装着部を示す斜視図である。
【図１２】本発明の廃棄容器の第５実施形態における装着部を示す斜視図である。
【図１３】図１２に示す廃棄容器の装着部を示す平面図である。
【図１４】図１２に示す廃棄容器の作用を説明するための断面図である。
【発明を実施するための形態】
【００２３】
以下、本発明の廃棄容器を添付図面に示す好適な実施形態に基づいて詳細に説明する。
＜第１実施形態＞
図１は、本発明の廃棄容器の第１実施形態を示す断面図である。図２は、ペン型注射器の構成例を示す側面図である。図３は、図２に示すペン型注射器の注射器本体の先端部の側面図および注射針の断面図である。図４は、図１に示す廃棄容器の装着部を示す平面図である。図５は、図１に示す廃棄容器の装着部の突出片の図４中のＡ−Ａ線での断面図である。図６は、図１に示す廃棄容器の作用を説明するため断面図である。
【００２４】
なお、以下では、廃棄容器については、図１、図６中の上側を「上」、下側を「下」とし、ペン型注射器については、図１〜図３、図６中の上側を「基端」、下側を「先端」として説明を行う。
【００２５】
これらの図に示す廃棄容器１は、ペン型注射器の注射器本体に着脱自在に装着、すなわち、螺合している注射針をその注射器本体から取り外し、廃棄する際に用いられる器具である。この廃棄容器１を説明する前に、まず、ペン型注射器の一例について説明する。
【００２６】
図２および図３に示すように、ペン型注射器（注射器）１０は、長手形状をなす注射器本体１１と、注射器本体１１に着脱自在に装着される注射針１４とを有している。注射針１４は、使用時に、注射器本体１１に装着され、使用後に、注射器本体１１から取り外され、廃棄される。
【００２７】
注射針１４は、両頭針である針体１２と、針体１２を保持する有底筒状のハブ１３とを有している。なお、ハブ１３の側壁は、本実施形態では、円筒状をなしている。
【００２８】
ハブ１３の内周面には、雌ネジ１３１が形成されている。また、ハブ１３の外周面には、複数の溝（凹部）１３２が形成されている。各溝１３２は、軸方向に沿って延在し、ハブ１３の先端側に開放している。また、各溝１３２は、ハブ１３の外周面の周方向に沿って等角度間隔に配置されている。なお、溝１３２の数は、特に限定されないが、本実施形態では、１６である。
【００２９】
注射器本体１１は、その先端部に、拡径した拡径部１１１と、拡径部１１１の先端部に形成され、縮径した縮径部１１２とを有している。拡径部１１１の先端部の角部は、丸みを帯びている。
【００３０】
また、縮径部１１２の外周面には、前記注射針１４のハブ１３の雌ネジ１３１と螺合する雄ネジ１１３が形成されている。また、縮径部１１２の内部には、針体１２が刺通可能な図示しない栓体が設置されており、その栓体により、注射器本体１１内の薬液が収納された空間が液密に封止されている。
【００３１】
なお、前記薬液としては、特に限定されず、例えば、インスリン製剤、成長ホルモン等のホルモン製剤、アナフィラキシー補助治療剤等が挙げられる。
【００３２】
ペン型注射器１０の使用時には、注射器本体１１の縮径部１１２の雄ネジ１１３と、注射針１４のハブ１３の雌ネジ１３１とを螺合させる。これにより、注射器本体１１の先端部、すなわち、縮径部１１２に注射針１４が装着される。この状態では、注射器本体１１の先端部、すなわち、拡径部１１１の先端面と、注射針１４のハブ１３の基端との間に隙間１５が形成される（図２、図６（ａ）参照）。
【００３３】
次に、廃棄容器１について説明する。
図１および図４に示すように、廃棄容器１は、ペン型注射器１０の注射器本体１１から取り外された注射針１４が廃棄、すなわち収納される有底筒状をなす容器本体３と、容器本体３の上部に着脱自在に設置されたキャップ２とを有している。この容器本体３とキャップ２とで容器が構成される。なお、容器本体３の側壁は、本実施形態では、円筒状をなしている。また、容器本体３の上端部は、それよりも下側の部位に対して縮径しており、本実施形態では、その縮径した部位と、キャップ２の下部とが、互いに螺合している。なお、キャップ２と容器本体３との固定方法は、これに限らず、例えば、キャップ２と容器本体３との一方が他方に嵌合していてもよい。また、キャップ２と容器本体３とが固着されていてもよい。
【００３４】
キャップ２の上板２１には、開口２２が形成されており、その開口２２内には、注射器本体１１から注射針１４を取り外す際、ペン型注射器１０が着脱自在に装着される装着部４が設けられている。なお、キャップ２と装着部４とは一体的に形成されていてもよく、また、別体であってもよい。
【００３５】
装着部４は、注射器本体１１から注射針１４を取り外すための構造を有している。まず、装着部４は、有底筒状をなす本体部４０を有している。なお、本体部４０の側壁は、本実施形態では、円筒状をなしている。
【００３６】
本体部４０の底部４０１の中央部には、その底部４０１を貫通し、容器本体に連通する孔部４１が形成されている。この孔部４１は、注射器本体１１から注射針１４を取り外す際、そのハブ１３が挿入、すなわち装着される部位である。なお、孔部４１の形状は、ハブ１３の外形形状に対応した形状、本実施形態では、平面視で円形状をなしている。
【００３７】
孔部４１の上端部の内周面には、弾性変形可能で、注射針１４のハブ１３の基端の端面に係合可能な複数の突出片（突部）４３が装着部４の中心軸に向って突出するように形成されている。ペン型注射器１０が装着部４に装着された状態では、各突出片４３は、ペン型注射器１０に向って突出し、そのペン型注射器１０の隙間１５に挿入される（図６（ｂ）参照）。なお、各突出片４３は、板状をなしている。
【００３８】
図５に示すように、各突出片４３の上面は、その突出片４３の厚さが装着部４の中心軸に向って漸減する傾斜面４３１になっている。これにより、注射針１４のハブ１３を孔部４１内に挿入する際、容易に挿入することができる。また、突出片４３の突出方向を「先端」、その突出方向と反対方向を「基端」としたとき、各突出片４３の先端面は、平面視で、凹状に湾曲している。なお、各突出片４３の基端の上端と、孔部４１の上端とは、一致している。
【００３９】
また、各突出片４３は、孔部４１の内周面の周方向に沿って等角度間隔に配置されている。なお、突出片４３の数は、特に限定されないが、複数であることが好ましく、本実施形態では、４である。
【００４０】
また、孔部４１の下端部の内周面には、ハブ１３の溝１３２内に挿入され、溝１３２と係合する複数のリブ（凸部）４２が突出形成されている。各リブ４２は、軸方向に沿って延在している。また、各リブ４２は、孔部４１の内周面の周方向に沿って配置されている。また、各リブ４２の基端部は、丸みを帯びている。また、各リブ４２は、平面視で、装着部４の中心軸を対称点として点対称に配置されている。
【００４１】
なお、リブ４２の数は、特に限定されないが、本実施形態では、８である。そして、各リブ４２は、平面視で、隣り合う２つの突出片４３の間に、２つずつ配置されている。
【００４２】
ペン型注射器１０が装着部４に装着された状態、すなわち、ハブ１３が孔部４１に挿入された状態では、各リブ４２がそのペン型注射器１０のハブ１３の対応する各溝１３２内に挿入され、各リブ４２と各溝１３２とが係合する。これにより、装着部４に対して注射針１４の回転が阻止される。したがって、各リブ４２により、注射針１４の回転を阻止する回転阻止手段が構成される。また、各リブ４２は、ハブ１３が通過可能に設定される。注射針１４は、ハブ１３がペン型注射器１０から取り外された後、自重により、あるいは注射針１４の基端側から押圧されることにより、容器本体３内に収容される。
【００４３】
また、ペン型注射器１０が装着部４に装着された状態、すなわち、ハブ１３が孔部４１に挿入された状態では、そのペン型注射器１０の拡径部１１１の先端部が底部４０１の上面、すなわち、底部４０１の孔部４１に臨む縁部に当接する。これにより、装着部４に対してペン型注射器１０の先端方向への移動が阻止され、ペン型注射器１０の軸方向の位置が規制される（図６（ｂ）参照）。したがって、底部４０１の孔部４１に臨む縁部、すなわち、拡径部１１１の先端部が当接する当接部により、ペン型注射器１０の軸方向の位置を規制する位置規制手段が構成される。
【００４４】
次に、廃棄容器１の作用について説明する。
図６（ａ）に示すように、ペン型注射器１０の注射器本体１１から注射針１４を取り外す際は、廃棄容器１の装着部４にペン型注射器１０を装着する。すなわち、ペン型注射器１０の先端側から注射針１４のハブ１３を装着部４の孔部４１内に挿入する。
【００４５】
この際、装着部４の各突出片４３は、一旦、ハブ１３の外周面に当接して弾性変形し、図６（ｂ）に示すように、ペン型注射器１０が装着部４に装着された状態では、ペン型注射器１０とハブ１３の端部との隙間１５に挿入される。
【００４６】
また、装着部４の各リブ４２がハブ１３の対応する溝１３２内に挿入され、各リブ４２と各溝１３２とが係合する。これにより、装着部４に対して注射針１４の回転が阻止される。また、ペン型注射器１０の拡径部１１１の先端部が装着部４の底部４０１の上面、すなわち、底部４０１の孔部４１に臨む縁部に当接する。これにより、装着部４に対してペン型注射器１０の先端方向への移動が阻止され、ペン型注射器１０の軸方向の位置が規制される。
【００４７】
次に、注射器本体１１を所定方向に回転させ、注射器本体１１の縮径部１１２の雄ネジ１１３と注射針１４のハブ１３の雌ネジ１３１との螺合を解除する。この際、注射針１４の軸方向の位置はほとんど変わらず、注射器本体１１が基端方向に移動する。
【００４８】
次に、図６（ｃ）に示すように、注射器本体１１を基端方向に移動させる。この際、装着部４の各突出片４３が注射針１４のハブ１３の基端の端面に当接、すなわち係合し、装着部４に対して注射針１４の基端方向への移動が阻止され、注射器本体１１から注射針１４が離脱する。このようにして、注射器本体１１から注射針１４が取り外され、その注射針は、廃棄容器１の容器本体３内に収納される。
【００４９】
以上説明したように、この廃棄容器１によれば、注射針１４に直接手を触れずに、その注射針１４を注射器本体１１から容易かつ確実に取り外し、廃棄することができる。
【００５０】
すなわち、装着部４の各リブ４２と注射針１４のハブ１３の対応する各溝１３２とが係合することにより、装着部４に対して注射針１４の回転が阻止され、これにより、注射器本体１１の雄ネジ１１３と注射針１４の雌ネジ１３１との螺合を確実に解除することができる。また、装着部４の各突出片４３が注射針１４のハブ１３の基端に係合することにより、装着部４に対して注射針１４の基端方向への移動が阻止され、これにより、注射器本体１１から注射針１４を確実に離脱させることができる。
【００５１】
また、この廃棄容器１は、その構成も簡易である。
なお、本実施形態では、各突出片４３は、底部４０１に固定されているが、これに限らず、例えば、各突出片４３は、底部４０１に対して変位可能に設けられ、各突出片４３を装着部４の中心軸に向けて付勢する付勢手段を設けてもよい。
【００５２】
また、装着部４の各突出片４３は、注射針１４のハブ１３の基端において、その端面に係合する場合のほか、ハブ１３の基端の外周部に係合するようにするようにしてもよい。
【００５３】
＜第２実施形態＞
図７は、本発明の廃棄容器の第２実施形態における装着部を示す断面図である。図８は、図７に示す廃棄容器の装着部にペン型注射器を装着した状態を示す断面図である。図９は、図７に示す廃棄容器の装着部を示す平面図である。
【００５４】
なお、以下では、廃棄容器については、図７、図８中の上側を「上」、下側を「下」とし、ペン型注射器については、図８中の上側を「基端」、下側を「先端」として説明を行う。
【００５５】
以下、第２実施形態について、前述した第１実施形態との相違点を中心に説明し、同様の事項については、その説明を省略する。
【００５６】
図７〜図９に示すように、第２実施形態の廃棄容器１では、装着部４は、その中心軸を介して互いに対向するように配置された１対の突出片（第２の突部）４３を有している。各突出片４３は、後述する各突起４５よりも先端側に位置している。
【００５７】
また、装着部４は、その中心軸を介して互いに対向するように配置され、弾性変形可能な１対の腕部４４を有している。各腕部４４は、装着部４の底部４０１の上面の孔部４１の近傍に配置されており、底部４０１の上面から上方に延びる長手形状をなしている。なお、腕部４４と突出片４３とは、装着部４の中心軸の回りに、交互に、等角度間隔に配置されている。
【００５８】
各腕部４４の上端部には、それぞれ、注射針１４のハブ１３の基端に係合可能な突起（第１の突部）４５が装着部４の中心軸に向って突出するように形成されている。各突起４５の上面は、その突起４５の厚さが装着部４の中心軸に向って漸減する傾斜面４５１になっている。これにより、注射針１４のハブ１３を孔部４１内に挿入する際、各腕部４４が容易に湾曲し、ハブ１３を容易に挿入することができる。
【００５９】
なお、傾斜面４５１の傾斜角度θ１は、特に限定されないが、４５°以上であることが好ましい。これにより、ハブ１３をより容易に挿入することができる。
【００６０】
各突起４５は、各腕部４４が弾性変形することにより、ハブ１３の基端の端面に係合可能な図７に示す第１の位置と、第１の位置から外方に退避した図８に示す第２の位置とに変位可能に構成されている。本実施形態では、各突起４５が第１の位置に位置しているときは、各腕部４４は、自然状態にある。また、各突起４５が第２の位置に位置しているときは、各腕部４４は、弾性変形し、突起４５を装着部４の中心軸に向けて付勢している。したがって、各腕部４４により、それぞれ、付勢手段が構成される。
【００６１】
ペン型注射器１０が装着部４に装着された状態では、各突起４５は、前記第２の位置に位置し、また、そのペン型注射器１０の注射器本体１１の外周側、本実施形態では拡径部１１１の外周側であって、ハブ１３の基端の外周部よりも基端側（上側）に位置している（図８参照）。なお、各突起４５の先端は、注射器本体１１の外周面、本実施形態では拡径部１１１の外周面に当接している。
【００６２】
この廃棄容器１では、前述した第１実施形態と同様に、ペン型注射器１０の注射器本体１１から注射針１４を取り外す際は、ペン型注射器１０を装着部４に装着し、注射器本体１１の雄ネジ１１３と注射針１４の雌ネジ１３１との螺合を解除した後、注射器本体１１を基端方向に移動させる。この際、装着部４の各突出片４３が注射針１４のハブ１３の基端の端面に当接、すなわち係合し、装着部４に対して注射針１４の基端方向への移動が阻止され、注射器本体１１から注射針１４が離脱する。
【００６３】
また、この廃棄容器１では、ペン型注射器１０の隙間１５が非常に小さく、ペン型注射器１０が装着部４に装着された状態で、装着部４の各突出片４３がその隙間１５に挿入されない場合や、隙間１５がない場合、すなわち、各突出片４３がハブ１３の基端の端面に係合しない場合でも、注射器本体１１から注射針１４を取り外すことができる。すなわち、注射器本体１１の雄ネジ１１３と注射針１４の雌ネジ１３１との螺合が解除された後、注射器本体１１を基端方向に移動させると、装着部４の各突起４５が注射針１４のハブ１３の基端の端面に当接、すなわち係合し、装着部４に対して注射針１４の基端方向への移動が阻止され、注射器本体１１から注射針１４が離脱する。
この廃棄容器１によれば、前述した第１実施形態と同様の効果が得られる。
【００６４】
なお、突出片４３の数は、２つに限定されないが、複数であることが好ましい。
また、腕部４４および突起４５の数は、それぞれ、２つに限定されないが、複数であることが好ましい。また、装着部４の各突起４５は、注射針１４のハブ１３の基端において、その端面に係合する場合のほか、ハブ１３の基端の外周部に係合するようにするようにしてもよい。
【００６５】
＜第３実施形態＞
図１０は、本発明の廃棄容器の第３実施形態における装着部を示す斜視図である。
【００６６】
なお、以下では、廃棄容器については、図１０中の上側を「上」、下側を「下」として説明を行う。
【００６７】
以下、第３実施形態について、前述した第１実施形態との相違点を中心に説明し、同様の事項については、その説明を省略する。
【００６８】
図１０に示すように、第３実施形態の廃棄容器１では、装着部４は、弾性変形可能な４つの腕部４４を有している。各腕部４４は、装着部４の底部４０１の孔部４１の近傍に配置されており、底部４０１の下部から上方に延びる長手形状をなしている。なお、各腕部４４は、装着部４の中心軸の回りに等角度間隔に配置されている。
【００６９】
各腕部４４の上端部には、それぞれ、注射針１４のハブ１３の基端の端面に係合可能な突起（突部）４５が装着部４の中心軸に向って突出するように形成されている。各突起４５の上面は、その突起４５の厚さが装着部４の中心軸に向って漸減する傾斜面４５１になっている。これにより、注射針１４のハブ１３を孔部４１内に挿入する際、各腕部４４が容易に湾曲し、ハブ１３を容易に挿入することができる。なお、各突起４５は、底部４０１の上面よりも若干上側に位置している。なお、傾斜面４５１の傾斜角度θ２は、特に限定されないが、４５°以上であることが好ましい。これにより、ハブ１３をより容易に挿入することができる。
【００７０】
ペン型注射器１０が装着部４に装着された状態では、各突起４５は、そのペン型注射器１０の注射器本体１１の外周側、本実施形態では拡径部１１１の外周側であって、ハブ１３の基端の端面よりも基端側に位置している。なお、各突起４５の先端は、注射器本体１１の外周面、本実施形態では拡径部１１１の外周面に当接している。
【００７１】
この廃棄容器１では、ペン型注射器１０の注射器本体１１から注射針１４を取り外す際は、ペン型注射器１０を装着部４に装着し、注射器本体１１を所定方向に回転させ、注射器本体１１の雄ネジ１１３と注射針１４の雌ネジ１３１との螺合を解除する。この際、注射針１４の軸方向の位置はほとんど変わらず、注射器本体１１が基端方向に移動し、これにより、ペン型注射器１０の隙間１５が大きくなり、その隙間１５に各突起４５が挿入される。
【００７２】
そして、この後、注射器本体１１を基端方向に移動させる。この際、装着部４の各突起４５が注射針１４のハブ１３の基端の外周部に当接、すなわち係合し、装着部４に対して注射針１４の基端方向への移動が阻止され、注射器本体１１から注射針１４が離脱する。
【００７３】
このため、この廃棄容器１では、ペン型注射器１０の隙間１５が非常に小さい場合や、隙間１５がない場合でも、注射器本体１１から注射針１４を取り外すことができる。
この廃棄容器１によれば、前述した第１実施形態と同様の効果が得られる。
【００７４】
なお、腕部４４および突起４５の数は、それぞれ、４つに限定されないが、複数であることが好ましい。また、装着部４の各突起４５は、注射針１４のハブ１３の基端において、その端面に係合する場合のほか、ハブ１３の基端の外周面に係合するようにしてもよい。
【００７５】
＜第４実施形態＞
図１１は、本発明の廃棄容器の第４実施形態における装着部を示す斜視図である。
【００７６】
なお、以下では、廃棄容器については、図１１中の上側を「上」、下側を「下」として説明を行う。
【００７７】
以下、第４実施形態について、前述した第１実施形態との相違点を中心に説明し、同様の事項については、その説明を省略する。
【００７８】
図１１に示すように、第４実施形態の廃棄容器１では、装着部４は、その中心軸を介して互いに対向するように配置された１対の突出片（第２の突部）４３を有している。各突出片４３は、後述する各突起４７よりも基端側に位置している。
【００７９】
また、装着部４は、その中心軸を介して互いに対向するように配置され、弾性変形可能な１対の腕部４６を有しており、各腕部４６には、それぞれ、突起（第１の突部）４７が形成されている。以下、前記１対の腕部４６および１対の突起４７について説明する。なお、各腕部４６および各突起４７の構成は同様であり、すなわち、各腕部４６および各突起４７は、平面視で、装着部４の中心軸を対称点として点対称であるので、以下では、代表的に、一方の腕部４６および突起４７について説明する。
【００８０】
まず、装着部４の側壁４０２の内周面および底部４０１の孔部４１の内周面には、１対の凹部４８が形成されている。各凹部４８は、装着部４の上面および下面にそれぞれ開放している。また、各凹部４８は、装着部４の中心軸を介して互いに対向するように配置されている。なお、凹部４８と突出片４３とは、装着部４の中心軸の回りに、交互に、等角度間隔に配置されている。この凹部４８は、注射針１４のハブ１３を孔部４１内に挿入する際、腕部４６および突起４７が退避する空間を構成する。
【００８１】
腕部４６は、前記凹部４８内の一方の側面４８１から側方に延び、凹状に湾曲した長手形状をなしている。また、腕部４６は、側面４８１の上端部でかつ内周側から突出している。なお、腕部４６と突出片４３とは、装着部４の中心軸の回りに、交互に、等角度間隔に配置されている。
【００８２】
そして、腕部４６の先端部には、注射針１４のハブ１３の基端の端面に係合可能な突起４７が装着部４の中心軸に向って突出するように形成されている。また、突起４７の上面には、その突起４７の厚さが装着部４の中心軸に向って漸減する第１の傾斜面４７１と、第２の傾斜面４７２とが形成されている。なお、第１の傾斜面４７１と、第２の傾斜面４７２とは、装着部４の中心軸に向ってこの順序で配置されている。この第１の傾斜面４７１および第２の傾斜面４７２により、注射針１４のハブ１３を孔部４１内に挿入する際、腕部４６が容易に湾曲し、ハブ１３を容易に挿入することができる。なお、突起４７は、底部４０１の上面よりも若干上側に位置している。
【００８３】
ペン型注射器１０が装着部４に装着された状態では、各突起４７は、そのペン型注射器１０の注射器本体１１の外周側、本実施形態では拡径部１１１の外周側であって、ハブ１３の基端の外周部よりも基端側に位置している。なお、各突起４７の先端は、注射器本体１１の外周面、本実施形態では拡径部１１１の外周面に当接している。
【００８４】
この廃棄容器１では、前述した第１実施形態と同様に、ペン型注射器１０の注射器本体１１から注射針１４を取り外す際は、ペン型注射器１０を装着部４に装着し、注射器本体１１の雄ネジ１１３と注射針１４の雌ネジ１３１との螺合を解除した後、注射器本体１１を基端方向に移動させる。この際、装着部４の各突出片４３が注射針１４のハブ１３の基端の外周部に当接、すなわち係合し、装着部４に対して注射針１４の基端方向への移動が阻止され、注射器本体１１から注射針１４が離脱する。
【００８５】
また、この廃棄容器１では、ペン型注射器１０の拡径部の先端部とハブ１３基端の端面との隙間１５が非常に小さく、ペン型注射器１０が装着部４に装着された状態で、装着部４の各突出片４３がその隙間１５に挿入されない場合や、隙間１５がない場合すなわち、各突出片４３がハブ１３の基端の端面に係合しない場合でも、注射器本体１１から注射針１４を取り外すことができる。
【００８６】
すなわち、ペン型注射器１０が装着部４に装着された状態で、装着部４の各突出片４３がその隙間１５に挿入されない場合や、隙間１５がない場合は、注射器本体１１の雄ネジ１１３と注射針１４の雌ネジ１３１との螺合を解除する際、注射針１４の軸方向の位置はほとんど変わらず、注射器本体１１が基端方向に移動し、これにより、ペン型注射器１０の隙間１５が大きくなり、その隙間１５に各突起４７が挿入される。
【００８７】
そして、この後、注射器本体１１を基端方向に移動させる。この際、装着部４の各突起４７が注射針１４のハブ１３の基端の端面に当接、すなわち係合し、装着部４に対して注射針１４の基端方向への移動が阻止され、注射器本体１１から注射針１４が離脱する。
【００８８】
この廃棄容器１によれば、前述した第１実施形態と同様の効果が得られる。
なお、突出片４３の数は、２つに限定されないが、複数であることが好ましい。
【００８９】
また、腕部４６および突起４７の数は、それぞれ、２つに限定されないが、複数であることが好ましい。また、装着部４の各突起４７は、注射針１４のハブ１３の基端において、その端面に係合する場合のほか、ハブ１３の基端の外周部に係合するようにしてもよい。
【００９０】
＜第５実施形態＞
図１２は、本発明の廃棄容器の第５実施形態における装着部を示す斜視図である。図１３は、図１２に示す廃棄容器の装着部を示す平面図である。図１４は、図１２に示す廃棄容器の作用を説明するための断面図である。
【００９１】
なお、以下では、廃棄容器については、図１２〜図１４中の上側を「上」、下側を「下」とし、ペン型注射器については、図１４中の上側を「基端」、下側を「先端」として説明を行う。
【００９２】
以下、第５実施形態について、前述した第１実施形態との相違点を中心に説明し、同様の事項については、その説明を省略する。
【００９３】
図１２および図１３に示すように、第３実施形態の廃棄容器１では、装着部４は、弾性変形可能な１対の腕部５１を有している。各腕部５１は、装着部４の側壁４０２に形成された凹部内に配置されており、側壁４０２の上部から下方に延びる長手形状をなしている。なお、各腕部５１は、装着部４の中心軸を介して対向するように配置されている。
【００９４】
各腕部５１の下端部には、それぞれ、注射針１４のハブ１３の基端の端面に係合可能な突起（突部）５２が装着部４の中心軸に向って突出するように形成されている。各突起５２の上面は、その突起５２の厚さが装着部４の中心軸に向って漸減する傾斜面５２１になっている。これにより、注射針１４のハブ１３を孔部４１内に挿入する際、各腕部５１が容易に湾曲し、ハブ１３を容易に挿入することができる。なお、各突起５２は、底部４０１の上面付近に位置している。
また、底部４０１の上端部の内周面には、傾斜面４０３が形成されている。
【００９５】
次に、廃棄容器１の作用について説明する。
図１４（ａ）に示すように、ペン型注射器１０の注射器本体１１から注射針１４を取り外す際は、廃棄容器１の装着部４にペン型注射器１０を装着する。すなわち、ペン型注射器１０の先端側から注射針１４のハブ１３を装着部４の孔部４１内に挿入する。
【００９６】
この際、装着部４の各腕部５１は、ハブ１３の外周面に当接して弾性変形し、図１４（ｂ）に示すように、ペン型注射器１０が装着部４に装着された状態では、各突起５２は、そのペン型注射器１０の注射器本体１１の外周側、本実施形態ではテーパ部１１４の外周側であって、ハブ１３の基端の端面よりも基端側に位置している。なお、各突起４５の先端は、注射器本体１１の外周面、本実施形態ではテーパ部１１４の外周面に当接している。なお、ペン型注射器１０の構成によっては、各突起４５は、ペン型注射器１０とハブ１３の基端の端面との間の隙間１５に挿入される。
【００９７】
また、図１４（ｂ）に示すように、ペン型注射器１０が装着部４に装着された状態では、そのペン型注射器１０の拡径部１１１と縮径部１１２との間のテーパ部１１４の先端部が底部４０１の傾斜面４０３に当接する。これにより、装着部４に対してペン型注射器１０の先端方向への移動が阻止され、ペン型注射器１０の軸方向の位置が規制される。したがって、底部４０１の傾斜面４０３により、ペン型注射器１０の軸方向の位置を規制する位置規制手段が構成される。
【００９８】
次に、注射器本体１１を所定方向に回転させ、注射器本体１１の縮径部１１２の雄ネジ１１３と注射針１４のハブ１３の雌ネジ１３１との螺合を解除する。この際、注射針１４の軸方向の位置はほとんど変わらず、注射器本体１１が基端方向に移動し、これにより、ペン型注射器１０の隙間１５が大きくなり、その隙間１５に各突起５２が挿入される。このため、この廃棄容器１では、ペン型注射器１０の隙間１５が非常に小さい場合や、隙間１５がない場合でも、注射器本体１１から注射針１４を取り外すことができる。
【００９９】
次に、図１４（ｃ）に示すように、注射器本体１１を基端方向に移動させる。この際、装着部４の各突起５２が注射針１４のハブ１３の基端の端面に当接、すなわち係合し、装着部４に対して注射針１４の基端方向への移動が阻止され、注射器本体１１から注射針１４が離脱する。このようにして、注射器本体１１から注射針１４が取り外され、その注射針は、廃棄容器１の容器本体３内に収納される。
この廃棄容器１によれば、前述した第１実施形態と同様の効果が得られる。
【０１００】
なお、腕部５１および突起５２の数は、それぞれ、２つに限定されないが、複数であることが好ましい。また、装着部４の各突起５２は、注射針１４のハブ１３の基端において、その端面に係合する場合のほか、ハブ１３の基端の外周面に係合するようにしてもよい。
【０１０１】
以上、本発明の廃棄容器を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０１０２】
また、本発明は、前記各実施形態のうちの、任意の２以上の構成（特徴）を組み合わせたものであってもよい。
【符号の説明】
【０１０３】
１              廃棄容器
２              キャップ
２１            上板
２２            開口
３              容器本体
４              装着部
４０            本体部
４０１          底部
４０２          側壁
４０３          傾斜面
４１            孔部
４２            リブ
４３            突出片
４３１          傾斜面
４４            腕部
４５            突起
４５１          傾斜面
４６            腕部
４７            突起
４７１          第１の傾斜面
４７２          第２の傾斜面
４８            凹部
４８１          側面
５１            腕部
５２            突起
５２１          傾斜面
１０            ペン型注射器
１１            注射器本体
１１１          拡径部
１１２          縮径部
１１３          雄ネジ
１１４          テーパ部
１２            針体
１３            ハブ
１３１          雌ネジ
１３２          溝
１４            注射針
１５            隙間
【図１】
0005902015.tif 000002
【図２】
0005902015.tif 000003
【図３】
0005902015.tif 000004
【図４】
0005902015.tif 000005
【図５】
0005902015.tif 000006
【図６】
0005902015.tif 000007
【図７】
0005902015.tif 000008
【図８】
0005902015.tif 000009
【図９】
0005902015.tif 000010
【図１０】
0005902015.tif 000011
【図１１】
0005902015.tif 000012
【図１２】
0005902015.tif 000013
【図１３】
0005902015.tif 000014
【図１４】
0005902015.tif 000015